(57)【要約】【課題】建造物の側壁に沿って延びる冷媒配管に対して、カバー部材を簡便に設置することができる方法を提案する。【解決手段】カバー部材の設置方法では、建造物（5）の屋上面（6）付近に一方の上記フレーム部材（40）を固定する第１フレーム固定工程と、シート部材（50）及び他方の上記フレーム部材（40）を上記建造物（5）の設置面（7）側まで配設する配設工程と、配設工程の後、上記他方のフレーム部材（40）を上記建造物（5）の上記設置面（7）付近に固定する第２フレーム固定工程とが行われる。【選択図】図６
2017138071.tif 000002
【特許請求の範囲】
【請求項１】
一方の側縁が開放された枠状の一対のフレーム部材（40）と、該一対のフレーム部材（40）に亘るように延びる繊維材料からなるシート部材（50）と有するカバー部材（30）を、建造物（5）の側壁（8）に沿って延びる冷媒配管（10）の周囲に配設する、冷媒配管用のカバー部材の設置方法であって、
上記建造物（5）の屋上面（6）付近に一方の上記フレーム部材（40）を固定する第１フレーム固定工程と、
上記シート部材（50）及び他方の上記フレーム部材（40）を上記建造物（5）の設置面（7）側まで配設する配設工程と、
上記配設工程の後、上記他方のフレーム部材（40）を上記建造物（5）の上記設置面（7）付近に固定する第２フレーム固定工程とを含んでいる
ことを特徴とする冷媒配管用のカバー部材の設置方法。
【請求項２】
請求項１において、
上記配設工程の前に、上記シート部材（50）の長手方向に沿うよう延びる線状のワイヤ（60）を該シート部材（50）に取り付けるワイヤ取付工程と、
上記ワイヤ（60）の一端を上記建造物（5）の屋上面（6）付近に固定する第１ワイヤ固定工程と、
上記配設工程の後、上記ワイヤ（60）の他端を上記建造物（5）の設置面（7）付近に固定する第２ワイヤ固定工程とを含んでいる
ことを特徴とする冷媒配管用のカバー部材の設置方法。
【請求項３】
請求項２において、
上記カバー部材（30）には、該カバー部材（30）の長手方向に沿って配列される複数のワイヤ挿通孔（54）が形成され、
上記ワイヤ取付工程では、上記ワイヤ（60）が上記カバー部材（30）の表面と裏面とに交互に接するように、上記ワイヤ（60）が複数の上記ワイヤ挿通孔（54）に挿通される
ことを特徴とする冷媒配管用のカバー部材の設置方法。
【発明の詳細な説明】
【技術分野】
【０００１】
本発明は、冷媒配管用のカバー部材の設置方法に関する。
【背景技術】
【０００２】
従来より、空気調和機等に適用される冷媒配管の周囲に設けられる、冷媒配管用のカバー部材が知られている。
【０００３】
例えば特許文献１には、半割で構成された直線形状のカバー部材が開示されている。このカバー部材を冷媒配管の周囲に設置することで、冷媒配管がカバー部材によって覆われ、冷媒配管が保護される。
【先行技術文献】
【特許文献】
【０００４】
【特許文献１】特開２００６−１７０３６３号公報
【発明の概要】
【発明が解決しようとする課題】
【０００５】
ところで、例えば空気調和機の冷媒配管は、ビル等の建造物の屋上から地面（設置面）に亘って上下に配設されることも多い。このような冷媒配管に対し、特許文献１に記載のようなカバー部材を設置する場合、例えば多数のアンカーボルトを用いてカバー部材の数箇所を建造物に固定しなければ、カバー部材を安定して支えることができない。このため、例えば所定の高さ毎に足場を組み立てた後、カバー部材の所定部分を建造物に固定する作業が必要となり、カバー部材の設置作業が煩雑になってしまうという問題がある。
【０００６】
本発明は、このような点に鑑みてなされたものであり、その目的は、建造物の側壁に沿って延びる冷媒配管に対して、カバー部材を簡便に設置することができる方法を提案することである。
【課題を解決するための手段】
【０００７】
第１の発明は、一方の側縁が開放された枠状の一対のフレーム部材（40）と、該一対のフレーム部材（40）に亘るように延びる繊維材料からなるシート部材（50）と有するカバー部材（30）を、建造物（5）の側壁（8）に沿って延びる冷媒配管（10）の周囲に配設する、冷媒配管用のカバー部材の設置方法であり、上記建造物（5）の屋上面（6）付近に一方の上記フレーム部材（40）を固定する第１フレーム固定工程と、上記シート部材（50）及び他方の上記フレーム部材（40）を上記建造物（5）の設置面（7）側まで配設する配設工程と、上記配設工程の後、上記他方のフレーム部材（40）を上記建造物（5）の上記設置面（7）付近に固定する第２フレーム固定工程とを含んでいる。
【０００８】
第１の発明では、第１フレーム固定工程において、一方のフレーム部材（40）が屋上面（6）付近に固定される。このため、作業者は、屋上面（6）側から、第１フレーム固定工程を行うことができる。従って、一方のフレーム部材（40）を建造物（5）に固定するために、別途、足場等を設ける必要がない。
【０００９】
配設工程では、他方のフレーム部材（40）が設置面（7）側まで配設される。その後、第２フレーム固定工程では、他方のフレーム部材（40）が設置面（7）付近に固定される。このため、作業者は、設置面（7）側から、第２フレーム固定工程を行うことができる。従って、他方のフレーム部材（40）を建造物（5）に固定するために、別途、足場等を設ける必要がない。
【００１０】
以上の工程により、カバー部材（30）を、建造物（5）の屋上面（6）付近から設置面（7）付近に亘って鉛直に延ばすことができ、建造物（5）の側壁（8）に沿った冷媒配管（10）を覆うことができる。この状態では、少なくとも、上端側のフレーム部材（40）と下端側のフレーム部材（40）とが支持されることになる。
【００１１】
第２の発明は、上記配設工程の前に、上記シート部材（50）の長手方向に沿うよう延びる線状のワイヤ（60）を該シート部材（50）に取り付けるワイヤ取付工程と、上記ワイヤ（60）の一端を上記建造物（5）の屋上面（6）付近に固定する第１ワイヤ固定工程と、上記配設工程の後、上記ワイヤ（60）の他端を上記建造物（5）の設置面（7）付近に固定する第２ワイヤ固定工程とを含んでいる。
【００１２】
第２の発明では、ワイヤ取付工程において、シート部材（50）に線状のワイヤ（60）が取り付けられる。この状態では、ワイヤ（60）がシート部材（50）の長手方向に沿って延びる状態となる。
【００１３】
第１ワイヤ固定工程では、ワイヤ（60）の一端が屋上面（6）付近に固定される。このため、作業者は、屋上面（6）側から第１ワイヤ固定工程を行うことができる。従って、ワイヤ（60）の一端を建造物（5）に固定するために、別途、足場等を設ける必要がない。
【００１４】
そして、配設工程の後の第２ワイヤ固定工程では、ワイヤ（60）の他端が設置面（7）付近に固定される。このため、作業者は、設置面（7）側から第２ワイヤ固定工程を行うことができる。従って、ワイヤ（60）の他端を建造物（5）に固定するために、別途、足場等を設ける必要がない。
【００１５】
以上の工程により、ワイヤ（60）は、シート部材（50）の長手方向（上下方向）に延びた状態で、屋上面（6）付近と設置面（7）付近の間に張架される。これにより、比較的軽量であるシート部材（50）が波打つことを防止できる。
【００１６】
第３の発明は、第２の発明において、上記カバー部材（30）には、該カバー部材（30）の長手方向に沿って配列される複数のワイヤ挿通孔（54）が形成され、上記ワイヤ取付工程では、上記ワイヤ（60）が上記カバー部材（30）の表面と裏面とに交互に接するように、上記ワイヤ（60）が複数の上記ワイヤ挿通孔（54）に挿通されることを特徴とする。
【００１７】
第３の発明では、ワイヤ取付工程において、ワイヤ（60）が複数のワイヤ挿通孔（54）を介してシート部材（50）に縫い付けられる。従って、ワイヤ（60）をシート部材（50）に容易に取り付けることができる。
【発明の効果】
【００１８】
本発明によれば、屋上面（6）付近と設置面（7）付近とに各フレーム部材（40）を固定することで、足場等を設けることなく、冷媒配管（10）の周囲にカバー部材（30）を配設することができる。
【００１９】
カバー部材（30）は比較的軽量であり、且つシート部材（50）を折り畳むことで小型化できる。このため、カバー部材（30）を屋上面（6）側まで容易に搬送できる。
【００２０】
カバー部材（30）の自重が小さいため、カバー部材（30）を屋上面（6）側から落とすことで、他方のフレーム部材（40）を設置面（7）側まで容易に配設することができる。また、カバー部材（30）の自重が小さいため、例えば２点でカバー部材（30）を支持したとしても、カバー部材（30）を安定して支持できる。
【００２１】
第２の発明では、屋上面（6）付近から設置面（7）付近までワイヤ（60）を張架しながら、このワイヤ（60）でシート部材（50）を補強できる。このため、柔軟な繊維状のシート部材（50）が波打つことを抑制でき、カバー部材（30）によって冷媒配管（10）を確実に覆うことができるとともに、カバー部材（30）の美観を確保できる。
【００２２】
第３の発明では、ワイヤ（60）をカバー部材（30）に容易に着脱できる。
【図面の簡単な説明】
【００２３】
【図１】図１は、実施形態に係るカバーユニット及び冷媒配管の全体構成図である。
【図２】図２は、カバー部材の要部を拡大した斜視図である。
【図３】図３は、フレーム部材の構成図である。
【図４】図４は、カバー部材の側面図である。
【図５】図５は、シート部材の一部断面図である。
【図６】図６は、カバー部材の設置方法を示した模式図である。
【発明を実施するための形態】
【００２４】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２５】
《発明の実施形態》
実施形態に係るカバーユニット（20）は、ビル等に適用される空気調和機（いわゆるビル用マルチエアコン）の冷媒配管（10）に適用される。
【００２６】
図１に模式的に示すように、冷媒配管（10）は、建造物（5）の屋上面（6）側から建造物（5）の地面（設置面（7））側に向かって順に、屋上面側配管部（11）、第１曲げ配管部（12）、鉛直配管部（13）、第２曲げ配管部（14）、及び設置面側配管部（15）を有している。屋上面側配管部（11）は、屋上面（6）の上側において屋上面（6）に沿うように水平に延びている。屋上面側配管部（11）は、例えば空気調和機の室外機に連結される。設置面側配管部（15）は、設置面（7）の上側において設置面（7）に沿うように水平に延びている。設置面側配管部（15）は、例えば空気調和機の室内機に連結される。鉛直配管部（13）は、建造物（5）の側方の側壁（8）に沿うように鉛直に延びている。本実施形態に係るカバー部材（30）は、鉛直配管部（13）に対応する。第１曲げ配管部（12）は、略Ｌ字状に屈曲し、屋上面側配管部（11）と鉛直配管部（13）の間に介設される。第２曲げ配管部（14）は、略Ｌ字状に屈曲し、設置面側配管部（15）と鉛直配管部（13）の間に介設される。
【００２７】
カバーユニット（20）は、屋上面（6）側から設置面（7）側に向かって順に、屋上面側カバー部（21）、第１曲げカバー部（22）、鉛直カバー部（30）（カバー部材（30）ともいう）、第２曲げカバー部（24）、及び設置面側カバー部（25）を有している。屋上面側カバー部（21）は、屋上面側配管部（11）を覆うように配置され、屋上面（6）に沿って水平に延びている。設置面側カバー部（25）は、設置面側配管部（15）を覆うように配置され、設置面（7）に沿って水平に延びている。鉛直カバー部（30）は、鉛直配管部（13）を覆うように配置され、建造物（5）の側壁（8）に沿って鉛直に延びている。第１曲げカバー部（22）は、略Ｌ字状ないし扇状に屈曲し、屋上面側カバー部（21）と鉛直カバー部（30）の間に介設される。第２曲げカバー部（24）は、略Ｌ字状ないし扇状に屈曲し、設置面側カバー部（25）と鉛直カバー部（30）の間に介設される。
【００２８】
カバー部材（30）は、複数のカバー体（31）が連結されて構成される。また、各カバー体（31）は、一対のフレーム部材（40）と、該一対のフレーム部材（40）に亘る１枚のシート部材（50）とを有している。
【００２９】
図２〜図４に示すように、各フレーム部材（40）は、一方の側縁が開放された枠状、ないし略コの字状に形成される。各フレーム部材（40）は、内枠部（42）と、該内枠部（42）から周方向外方へ張り出したフランジ部（46）とを有している。フレーム部材（40）は、金属製であってもよいし、樹脂性であってもよい。
【００３０】
内枠部（42）は、中間枠部（43）と、該中間枠部（43）の長手方向の両端にそれぞれ連結し、且つ中間枠部（43）に対して垂直に延びる一対の側方枠部（44）とを有している。中間枠部（43）は、細長い板状に形成される。厳密には、中間枠部（43）は、その長手方向の中心部に近づくにつれて径方向外方へ突出するように、この中心部を挟んだ両側が僅かに傾斜している。一対の側方枠部（44）は、各々が細長い板状に形成され、互いに平行になるように対向している。内枠部（42）には、中間枠部（43）と側方枠部（44）とに亘って、複数の円形のピン差込孔（45）が形成される。各ピン差込孔（45）には、それぞれピン留め具（33）が差し込まれる。
【００３１】
フランジ部（46）は、内枠部（42）に対して垂直に形成される。フランジ部（46）は、中間フランジ部（47）と、該中間フランジ部（47）の長手方向の両端にそれぞれ連結し、且つ中間フランジ部（47）に対して垂直に延びる一対の側方フランジ部（48）とを有している。中間フランジ部（47）は、その長手方向の中心部に近づくにつれて径方向外方へ突出するように、この中心部を挟んだ両側が僅かに傾斜している。一対の側方フランジ部（48）は、各々が細長い板状に形成され、互いに平行になるように対向している。フランジ部（46）には、中間フランジ部（47）と側方フランジ部（48）とに亘って、複数の円形のボルト孔（49）が形成される。
【００３２】
図１に示すように、カバー部材（30）では、隣接するカバー体（31）の２つのフレーム部材（40）がボルトナット等の締結部材（32）によって固定される。これにより、複数のカバー体（31）を組み合わせて一体的なカバー部材（30）を構成することができる。
【００３３】
シート部材（50）は、繊維材料からなる柔軟なシート状の部材である。シート部材（50）は、ポリエチレン等の化学繊維で構成される。
【００３４】
シート部材（50）は、一対のフレーム部材（40）に亘るように該一対のフレーム部材（40）に取り付けられる。シート部材（50）は、中間シート部（51）と一対の側方シート部（52）とを有している。中間シート部（51）は、中間枠部（43）に固定される。各側方シート部（52）は、各側方枠部（44）にそれぞれ固定される。具体的に、シート部材（50）の長手方向（図４における上下方向）のそれぞれの端部には、複数のピン差込孔（53）が形成される。フレーム部材（40）の内枠部（42）のピン差込孔（45）と、シート部材（50）のピン差込孔（53）とを一致させた状態で、これらの差込孔（45,53）にピン留め具（33）を差し込む事で、フレーム部材（40）にシート部材（50）を容易に取り付けることができる。
【００３５】
一対の側方シート部（52）には、中間シート部（51）とは反対側の側縁の近傍に複数のワイヤ挿通孔（54）がそれぞれ形成される。複数のワイヤ挿通孔（54）は、この側縁に沿うように等間隔を置きながら直線状に配列される。ワイヤ挿通孔（54）を中間シート部（51）に形成してもよい。
【００３６】
図１に示すように、上述したフレーム部材（40）やシート部材（50）は、鉛直カバー部（30）以外の他のカバー部（21,22,24,25）にも同様にして適用されている。
【００３７】
図１及び図５に示すように、カバーユニット（20）は、１本又は複数のワイヤ（60）を有している。本実施形態のカバーユニット（20）は、各中間シート部（51）にそれぞれ１つずつ対応するように、２本のワイヤ（60）を有している。ワイヤ（60）は、比較的剛性の高い金属性の線材である。１本のワイヤ（60）は、複数のワイヤ挿通孔（54）が１列に並んで構成されるワイヤ挿通孔（54）群に対応する。具体的には、例えば図５に示すように、ワイヤ（60）は、隣り合うワイヤ挿通孔（54）に対して挿通方向が互いに逆向きになるように、各ワイヤ挿通孔（54）に挿通される。換言すると、ワイヤ（60）は、カバー部材（30）の表面に接する部分（表側ワイヤ部（60a））と、カバー部材（30）の裏面に接する部分（裏側ワイヤ部（60b））とが交互に繰り返されるように、各ワイヤ挿通孔（54）に挿通される。これにより、ワイヤ（60）がカバー部材（30）に縫い付けられるような状態となり、ワイヤ（60）がカバー部材（30）に取り付けられる。
【００３８】
〈カバーユニットの設置作業〉
カバーユニット（20）の設置作業（設置方法）について、図１、図５、図６等を参照しながら詳細に説明する。カバーユニット（20）は、冷媒配管（10）が据え付けられた後に設置される。このため、空気調和機の試運転を行いながら、カバーユニット（20）の設置作業を行うことができ、据え付けに要する総時間を短縮できる。カバーユニット（20）の設置作業では、例えばまず、鉛直カバー部（30）を設置した後、他のカバー部（21,22,24,25）の設置作業が行われる。
【００３９】
カバー部材（30）の設置作業（設置方法）では、まず、作業者が複数のカバー体（31）及びワイヤ（60）を屋上まで搬送する工程（搬送工程）が行われる。カバー体（31）のほとんどの部分は、軽量且つ柔軟なシート部材（50）で構成される。このため、シート部材（50）を折り畳んだ状態で、複数のカバー体（31）を容易に屋上まで搬送できる。
【００４０】
次いで、カバー体（31）の各フランジ部（46）を締結部材（32）を介して固定する工程（カバー部材組立工程）が行われる。これにより、比較的長尺のカバー部材（30）を得ることができる。
【００４１】
次いで、シート部材（50）にワイヤ（60）を予め取り付ける工程（ワイヤ取付工程）が行われる。この工程では、図５に示すように、ワイヤ（60）がシート部材（50）に縫い付けられる。シート部材（50）にワイヤ（60）を取り付けた状態では、ワイヤ（60）の両端部を、両端のワイヤ挿通孔（54）からそれぞれ突出させる。
【００４２】
次いで、図６(Ａ)に示すように、カバー部材（30）の一端のフレーム部材（40）（上端側フレーム部材（40a）を、屋上面（6）付近に固定する工程（第１フレーム固定工程）が行われる。例えば上端側フレーム部材（40a）は、建造物（5）の側壁（8）の上端付近にアンカーボルト等の支持部材（9）を介して固定される。これにより、作業者は屋上面（6）から第１フレーム固定工程を行うことができ、別途、足場を設ける等の作業が不要になる。
【００４３】
次いで、図６(Ａ)に示すように、ワイヤ（60）の一端（上端（61））を支持部材（9）に固定する工程（第１ワイヤ固定工程）が行われる。作業者は、第１フレーム固定工程と同様、屋上面（6）から第１ワイヤ固定工程を行うことができる。なお、第１ワイヤ固定工程の後、第１フレーム固定工程を行ってもよい。また、第１ワイヤ固定工程の後、屋上面（6）においてワイヤ取付工程を行うこともできる。
【００４４】
次いで、図６(Ｂ)に示すように、カバー部材（30）及びワイヤ（60）を下方へ落とした後、図６(Ｃ)に示すように、カバー部材（30）の他端のフレーム部材（40）（下端側フレーム部材（40b））を、設置面（7）側まで配設する工程（配設工程）を行う。カバー部材（30）は、軽量であるため、カバー部材（30）を屋上側から落としたとしても、上端側フレーム部材（40a）に大きな衝撃が作用することがない。
【００４５】
なお、配設工程を行った後、第１フレーム固定工程や第１ワイヤ固定工程を行うことも可能である。
【００４６】
次いで、図６(Ｃ)に示すように、下端側フレーム部材（40b）を設置面（7）付近に固定する工程（第２フレーム固定工程）が行われる。例えば下端側フレーム部材（40b）は、建造物（5）の側壁（8）の下端付近にアンカーボルト等の支持部材（9）を介して固定される。これにより、作業者は設置面（7）から第２フレーム固定工程を行うことができ、別途、足場を設ける等の作業が不要となる。
【００４７】
次いで、図６(Ｃ)に示すように、ワイヤ（60）の他端（下端（62））を支持部材（9）に固定する工程（第２ワイヤ固定工程）が行われる。作業者は、第２フレーム固定工程と同様、設置面（7）から第２ワイヤ固定工程を行うことができる。なお、第２ワイヤ固定工程の後、第２フレーム固定工程を行ってもよい。
【００４８】
以上により、カバー部材（30）が建造物（5）の側壁（8）に沿うように配設され、冷媒配管（10）の鉛直配管部（13）がカバー部材（30）によって覆われる。カバー部材（30）は軽量であるため、カバー部材（30）を２点で支持したとしても、カバー部材（30）を十分支えることができる。また、この状態では、ワイヤ（60）が上下に張架された状態となるため、シート部材（50）が波打つことを防止できる。この結果、カバー部材（30）によって冷媒配管（10）を確実に覆うことができ、冷媒配管（10）の経年劣化等を抑制できる。また、カバー部材（30）の美観が損なわれることも防止できる。
【００４９】
《その他の実施形態》
上記実施形態のワイヤ（60）を省略した構成としてもよい。
【００５０】
また、上記カバー部材（30）の中間部分のフレーム部材（40）を建造物（5）の側壁（8）に補助的に支持させるようにしてもよい。この場合、必要に応じて足場を組む必要があるが、従来のものと比較すれば、支持部の数を減らすことができる。
【産業上の利用可能性】
【００５１】
以上説明したように、本発明は、冷媒配管用のカバー部材の設置方法について有用である。
【符号の説明】
【００５２】
５      建造物
６      屋上面
７      設置面
８      側壁
３０    カバー部材
４０    フレーム部材
５０    シート部材
５４    ワイヤ挿通孔
６０    ワイヤ
【図１】
2017138071.tif 000003
【図２】
2017138071.tif 000004
【図３】
2017138071.tif 000005
【図４】
2017138071.tif 000006
【図５】
2017138071.tif 000007
【図６】
2017138071.tif 000008